(57)【要約】      （修正有）【課題】ソーシャルネットワークサービス（ＳＮＳ）における友人関係（ユーザ間のつながり）を自動で整理する。【解決手段】親密度算出部１１０は、ユーザと定量化対象の他のユーザとの親密度を算出する。友人関係判断部１２０は、算出された親密度に基づいて友人関係をＳＮＳ上、解消するか否かを判断する。友人関係整理部１３０は、友人関係の判断結果に基づいて、ＳＮＳ上の友人関係を削除する。【選択図】図２
2015069232.tif 000002
【特許請求の範囲】
【請求項１】
ＳＮＳにおける、ある任意の対象ユーザにおいて、現在、友人関係にある他のユーザを整理する友人整理装置であって、
前記ある任意の対象ユーザと定量化対象の前記他のユーザとの親密度を算出する親密度算出手段と、
該算出された親密度に基づいて友人関係を前記ＳＮＳ上、解消するか否かを判断する友人関係判断手段と、
前記友人関係の判断結果に基づいて、実際に前記ＳＮＳ上の友人関係を削除する友人整理手段と、
を備えたことを特徴とする友人整理装置。
【請求項２】
前記親密度算出手段は、前記ユーザと定量化対象となるユーザとの間のコミュニケーション回数、または、コミュニケーション内容、または、コミュニケーションの方向性の少なくともひとつから親密度を算出することを特徴とする請求項１に記載の友人整理装置。
【請求項３】
前記親密度算出手段と前記友人関係判断手段と友人整理手段とが連係して、ある一定周期で処理を実行することを特徴とする請求項１または請求項２に記載の友人整理装置。
【請求項４】
前記友人整理手段の整理結果を提示する整理結果提示手段を備えたことを特徴とする請求項１から請求項３のいずれかに記載の友人整理装置。
【請求項５】
前記提示された結果について、取り消し選択を行う選択手段を備えたことを特徴とする請求項４に記載の友人整理装置。
【請求項６】
前記親密度算出手段は、前記ユーザの最初の話題の投稿への友人の返信に対する再返信、友人の最初の話題の投稿への前記ユーザの返信、の二つの返信コミュニケーションを区別して、親密度算出時の反映度合いを変更することを特徴とする請求項１から請求項５のいずれかに記載の友人整理装置。
【請求項７】
前記親密度算出手段は、前記ユーザと友人との間のコミュニケーションの内容から、ですます等の敬語、あるいは、口語調や略称や通称・俗称等のくだけた表現を抽出し、その登場頻度に基づいて親密度を算出することを特徴とする請求項１から請求項６のいずれかに記載の友人整理装置。
【請求項８】
前記親密度算出手段は、前記ユーザと友人との間のコミュニケーションの内容を、ポジティブな内容あるいはネガティブな内容に分類し、その登場頻度に基づいて親密度を算出することを特徴とする請求項１から請求項７のいずれかに記載の友人整理装置。
【請求項９】
前記親密度算出手段は、前記ユーザと友人との間の返信の往復数、または、会話文字数の平均長、または、一日の会話回数をもとに親密度を算出することを特徴とする請求項１から請求項８のいずれかに記載の友人整理装置。
【請求項１０】
前記親密度算出手段は、前記ユーザと複数の友人とのコミュニケーションの傾向を比較して親密度を算出することを特徴とする請求項１から請求項９のいずれかに記載の友人整理装置。
【請求項１１】
前記親密度算出手段は複数の親密度を算出し、友人関係判断手段は、これら親密度の少なくとも一つを判断に利用することを特徴とする請求項１から請求項１０のいずれかに記載の友人整理装置。
【請求項１２】
前記友人関係判断手段は、過去の友人整理結果および、友人再登録の結果に基づいて、前記複数の親密度のうち、判断に利用する親密度を決定することを特徴とする請求項１１に記載の友人整理装置。
【請求項１３】
前記友人関係判断手段は、親密度の変化を蓄積し、急激な親密度の変化傾向に基づいて、友人関係を判断することを特徴とする請求項１から請求項１２に記載の友人整理装置。
【請求項１４】
前記友人関係判断手段は、前記親密度の低い友人に関して非表示判断を行い、非表示判断されたユーザの発言を前記友人整理手段において、その発言内容を非表示とするユーザとすることを特徴とする請求項１から請求項１３に記載の友人整理装置。
【請求項１５】
親密度算出手段と友人関係判断手段と友人整理手段とを備え、ＳＮＳにおける、現在、友人関係にあるユーザを整理する友人整理装置における友人整理方法であって、
前記親密度算出手段が、前記ユーザと定量化対象の他のユーザとの親密度を算出する第１のステップと、
前記友人関係判断手段が、該算出された親密度に基づいて友人関係を前記ＳＮＳ上、解消するか否かを判断する第２のステップと、
前記友人整理手段が、前記友人関係の判断結果に基づいて、実際に前記ＳＮＳ上の友人関係を削除する第３のステップと、
を備えたことを特徴とする友人整理方法。
【請求項１６】
親密度算出手段と友人関係判断手段と友人整理手段とを備え、ＳＮＳにおける、現在、友人関係にあるユーザを整理する友人整理装置における友人整理方法をコンピュータに実行させるためのプログラムであって、
前記親密度算出手段が、前記ユーザと定量化対象の他のユーザとの親密度を算出する第１のステップと、
前記友人関係判断手段が、該算出された親密度に基づいて友人関係を前記ＳＮＳ上、解消するか否かを判断する第２のステップと、
前記友人整理手段が、前記友人関係の判断結果に基づいて、実際に前記ＳＮＳ上の友人関係を削除する第３のステップと、
をコンピュータに実行させるためのプログラム。
【発明の詳細な説明】
【技術分野】
【０００１】
本発明は、ソーシャルネットワークサービス（ＳＮＳ）における友人関係（ユーザ間のつながり）を自動で整理する友人整理装置、友人整理方法およびプログラムに関する。
【背景技術】
【０００２】
近年、インターネットの目覚ましい普及に伴い、特定のコミュニティを形成し、このコミュニティの中で、各ユーザが、例えば、ある出来事に対して、自己の考えや思い、感想等、いわゆる、つぶやきを投稿するソーシャルネットワークサービス（ＳＮＳ）が多くの人々に利用されている。
【０００３】
こうした、ソーシャルネットワークサービス（ＳＮＳ）に関連する技術として、ユーザ間における相互のアクセス規制を個々に設定し、該アクセス規制に基づいてユーザ間でコンテンツの共有を行う技術（例えば、特許文献１参照。）やソーシャルグラフをユーザが能動的に操作することなく生成することができる、ソーシャルグラフ生成方法、他のソーシャルネットワーキングサービスにおける属性情報の類似性に基づいてユーザ抽出する技術（例えば、特許文献２参照。）、外部ソーシャルネットワークサービスにおいて設定されているコミュニティ管理情報を用いて、コミュニティ参加承認を行う技術（例えば、特許文献３参照。）が提案されている。
【０００４】
ここで、具体的には、特許文献１に記載の技術は、ユーザの能動的な操作に基づいて、当該ユーザの友人関係にあるユーザを友人から外したり、特定の発言内容を特定ユーザからは不可視にしたりするものであり、特許文献２、３に記載の技術は、他のソーシャルネットワークにおけるユーザが申告したプロファイル情報の類似性や、ソーシャルグラフの近接度（友人の友人関係）、コミュニティ所属情報等から、友人と推測されるユーザを抽出し、自動でソーシャルグラフを生成するものである。
【０００５】
また、ユーザが申告したプロファイル情報の類似性や、ソーシャルグラフの近接度（友人の友人関係）等から、友人と推測されるユーザを抽出し、提示する技術が知られている。
【先行技術文献】
【特許文献】
【０００６】
【特許文献１】特開２０１３−４１４０５号公報
【特許文献２】特開２０１１−１７０４７１号公報
【特許文献３】特開２０１０−０３９８７１号公報
【発明の概要】
【発明が解決しようとする課題】
【０００７】
しかしながら、従来のいずれの方法も、友人と推測されるユーザを自動あるいは半自動で友人として承認することにより、ユーザの友人承認（登録）作業の負荷を軽減するものでしかない。
【０００８】
一方で、近年ソーシャル疲れと称される、ソーシャルネットワークサービスに対する面白みの低下や、サービス利用頻度低下・離脱現象が生じている。これらは、ソーシャルネットワークサービスの最新更新情報を常に追わなければいけないという極度な依存が背景にあり、自分の投稿内容によい反応が無いと不安になる、友人への投稿内容を評価する、コメント返すことが義務に感じる、等の、集団への帰属および参加意識が負担となることが一因と考えられる。
【０００９】
また、会社などの付き合いでしぶしぶ友人として承認している等、リアルでの関係性に基づいて承認しており、本人の意思に基づいて能動的に行われるべき拒否が立場上難しいという問題が含まれている。
【００１０】
そこで、本発明は、上述の課題に鑑みてなされたものであり、ソーシャルネットワークサービス（ＳＮＳ）における友人関係（ユーザ間のつながり）を自動で整理する友人整理装置、友人整理方法およびプログラムを提供することを目的とする。
【課題を解決するための手段】
【００１１】
本発明は、上記の課題を解決するために、以下の事項を提案している。
【００１２】
（１）本発明は、ＳＮＳにおける、ある任意の対象ユーザにおいて、現在、友人関係にある他のユーザを整理する友人整理装置であって、前記ある任意の対象ユーザと定量化対象の前記他のユーザとの親密度を算出する親密度算出手段と、該算出された親密度に基づいて友人関係を前記ＳＮＳ上、解消するか否かを判断する友人関係判断手段と、前記友人関係の判断結果に基づいて、実際に前記ＳＮＳ上の友人関係を削除する友人整理手段と、を備えたことを特徴とする友人整理装置を提案している。
【００１３】
（２）本発明は、（１）の友人整理装置について、前記親密度算出手段は、前記ユーザと定量化対象となるユーザとの間のコミュニケーション回数、または、コミュニケーション内容、または、コミュニケーションの方向性の少なくともひとつから親密度を算出することを特徴とする友人整理装置を提案している。
【００１４】
（３）本発明は、（１）または（２）の友人整理装置について、前記親密度算出手段と前記友人関係判断手段と友人整理手段とが連係して、ある一定周期で処理を実行することを特徴とする友人整理装置を提案している。
【００１５】
（４）本発明は、（１）から（３）の友人整理装置について、前記友人整理手段の整理結果を提示する整理結果提示手段を備えたことを特徴とする友人整理装置を提案している。
【００１６】
（５）本発明は、（４）の友人整理装置について、前記提示された結果について、取り消し選択を行う選択手段を備えたことを特徴とする友人整理装置を提案している。
【００１７】
（６）本発明は、（１）から（５）の友人整理装置について、前記親密度算出手段は、前記ユーザの最初の話題の投稿への友人の返信に対する再返信、友人の最初の話題の投稿への前記ユーザの返信、の二つの返信コミュニケーションを区別して、親密度算出時の反映度合いを変更することを特徴とする友人整理装置を提案している。
【００１８】
（７）本発明は、（１）から（６）の友人整理装置について、前記親密度算出手段は、前記ユーザと友人との間のコミュニケーションの内容から、ですます等の敬語、あるいは、口語調や略称や通称・俗称等のくだけた表現を抽出し、その登場頻度に基づいて親密度を算出することを特徴とする友人整理装置を提案している。
【００１９】
（８）本発明は、（１）から（７）の友人整理装置について、前記親密度算出手段は、前記ユーザと友人との間のコミュニケーションの内容を、ポジティブな内容あるいはネガティブな内容に分類し、その登場頻度に基づいて親密度を算出することを特徴とする友人整理装置を提案している。
【００２０】
（９）本発明は、（１）から（８）の友人整理装置について、前記親密度算出手段は、前記ユーザと友人との間の返信の往復数、または、会話文字数の平均長、または、一日の会話回数をもとに親密度を算出することを特徴とする友人整理装置を提案している。
【００２１】
（１０）本発明は、（１）から（９）の友人整理装置について、前記親密度算出手段は、前記ユーザと複数の友人とのコミュニケーションの傾向を比較して親密度を算出することを特徴とする友人整理装置を提案している。
【００２２】
（１１）本発明は、（１）から（１０）の友人整理装置について、前記親密度算出手段は複数の親密度を算出し、友人関係判断手段は、これら親密度の少なくとも一つを判断に利用することを特徴とする友人整理装置を提案している。
【００２３】
（１２）本発明は、（１１）の友人整理装置について、前記友人関係判断手段は、過去の友人整理結果および、友人再登録の結果に基づいて、前記複数の親密度のうち、判断に利用する親密度を決定することを特徴とする友人整理装置を提案している。
【００２４】
（１３）本発明は、（１）から（１２）の友人整理装置について、前記友人関係判断手段は、親密度の変化を蓄積し、急激な親密度の変化傾向に基づいて、友人関係を判断することを特徴とする友人整理装置を提案している。
【００２５】
（１４）本発明は、（１）から（１３）の友人整理装置について、前記友人関係判断手段は、前記親密度の低い友人に関して非表示判断を行い、非表示判断されたユーザの発言を前記友人整理手段において、その発言内容を非表示とするユーザとすることを特徴とする友人整理装置を提案している。
【００２６】
（１５）本発明は、親密度算出手段と友人関係判断手段と友人整理手段とを備え、ＳＮＳにおける、現在、友人関係にあるユーザを整理する友人整理装置における友人整理方法であって、前記親密度算出手段が、前記ユーザと定量化対象の他のユーザとの親密度を算出する第１のステップと、前記友人関係判断手段が、該算出された親密度に基づいて友人関係を前記ＳＮＳ上、解消するか否かを判断する第２のステップと、前記友人整理手段が、前記友人関係の判断結果に基づいて、実際に前記ＳＮＳ上の友人関係を削除する第３のステップと、を備えたことを特徴とする友人整理方法を提案している。
【００２７】
（１６）本発明は、親密度算出手段と友人関係判断手段と友人整理手段とを備え、ＳＮＳにおける、現在、友人関係にあるユーザを整理する友人整理装置における友人整理方法をコンピュータに実行させるためのプログラムであって、前記親密度算出手段が、前記ユーザと定量化対象の他のユーザとの親密度を算出する第１のステップと、前記友人関係判断手段が、該算出された親密度に基づいて友人関係を前記ＳＮＳ上、解消するか否かを判断する第２のステップと、前記友人整理手段が、前記友人関係の判断結果に基づいて、実際に前記ＳＮＳ上の友人関係を削除する第３のステップと、をコンピュータに実行させるためのプログラムを提案している。
【発明の効果】
【００２８】
本発明によれば、ユーザにおいて心理的に実施しにくいと考えられる友人の整理を、実際のコミュニケーションの盛り上がりに基づいて自動処理をするため、ＳＮＳ疲れと表現されるようなサービスへのモチベーションの低下を防ぐことができるという効果がある。
【図面の簡単な説明】
【００２９】
【図１】本発明に関する概念図である。
【図２】本発明の第１の実施形態に係る友人整理装置の構成を示す図である。
【図３】本発明の第１の実施形態に係る友人整理装置の処理を示す図である。
【図４】本発明の第２の実施形態に係る友人整理装置の構成を示す図である。
【図５】本発明の第３の実施形態に係る友人整理装置の構成を示す図である。
【図６】本発明の第４の実施形態に係る友人整理装置の構成を示す図である。
【発明を実施するための形態】
【００３０】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３１】
図１は、本発明の概念図である。図１に示すように、本発明は、友人整理装置１００が、当該装置を利用するユーザと他のユーザとのソーシャルネットワークサービス（ＳＮＳ）における友人関係（ユーザ間のつながり）を自動で整理するものである。具体的には、ＳＮＳ上の当該ユーザおよび他のユーザのつぶやきに基づいて、当該ユーザ間の親密度を算出し、友人関係を判断して、友人を整理する。なお、前提として、コミュニケーションは、コミュニケーション開始となる一番初めのつぶやきと、つぶやきに対する返信つぶやき（および返信つぶやきに対する返信つぶやき）によって構成されるものとする。例えば、ツイッターであれば、リプライあるいはリツイートを返信つぶやきととらえ、その元となるつぶやきを一番初めのつぶやきと定義する。
【００３２】
＜第１の実施形態＞
図２および図３を用いて、本発明の第１の実施形態について、説明する。
【００３３】
＜友人整理装置の構成＞
本実施形態に係る友人整理装置１００は、図２に示すように、親密度算出部１１０と、友人関係判断部１２０と、友人整理部１３０と、整理結果提示部１４０と、選択部１５０と、制御部１６０とから構成されている。
【００３４】
友人整理装置１００は、友人整理を実施する主体のユーザが、ある一定期間中に他のユーザと行ったコミュニケーション履歴を取得する。親密度算出部１１０は、主体のユーザＳにおいて一番初めのつぶやきの回数ｓｔａｒｔ（Ｓ）および、他のユーザＯにおけるユーザＳへの返信回数ｒｅｐｌｙ（Ｓ、Ｏ）、他のユーザＯにおいて一番初めのつぶやきの回数ｓｔａｒｔ（Ｏ）および、ユーザＳにおけるユーザＯへの返信回数ｒｅｐｌｙ（Ｏ、Ｓ）、ユーザＳおよびユーザＯが関連している各つぶやきtにおけるユーザＳとユーザＯとの平均返信継続回数（一番初めのつぶやきから返信が繰り返された回数）ｒｅｐｌｙ＿ｌｅｎｇｔｈ（ｔ）をカウントし、下記例の式により、親密度Ｆｒｉｅｎｄ（Ｓ、Ｏ）を算出する。つまり、親密度算出部１１０は、ユーザＳと定量化対象となるユーザＯとの間のコミュニケーション回数、または、コミュニケーション内容、または、コミュニケーションの方向性の少なくともひとつから親密度を算出する。
【００３５】
【数１】
2015069232.tif 000003
【００３６】
【数２】
2015069232.tif 000004
【００３７】
【数３】
2015069232.tif 000005
【００３８】
【数４】
2015069232.tif 000006
【００３９】
【数５】
2015069232.tif 000007
【００４０】
数１は、単純な返信数により、親密度を算出する例、数２は、全返信に対する割合により、親密度を算出する例、数３は、相手側への返信数が多いか少ないかにより、親密度を算出する例、数４は、双方の返信数に対するユーザＳからユーザＯへの返信の割合により、親密度を算出する例であり、極端にユーザＯからの返信対応が多い場合には、親密度が低いと判断する。数５は、平均返信継続回数により、親密度を算出する例であり、やりとり回数が長い場合には、親密度が高いと判断する。
【００４１】
友人整理判断部１２０は、親密度算出部１１０の出力結果ひとつ、あるいは複数を利用し判断する。例えば、数１から数５のうち、任意の数式について、ある閾値ｔｈを用いて、Ｆｒｉｅｎｄ（Ｓ、Ｏ）＜ｔｈのとき、当該ユーザＳ、ユーザＯの友人関係を外すと判断し、友人整理部１３０にその判断結果を出力する。
【００４２】
または、数１から数５のうち、任意の数式について、Ｆｒｉｅｎｄ（Ｓ、Ｏ）＜ｔｈが成立した回数ｎ＿ｔｉｍｅｓを記録しておき、ｎ＿ｔｉｍｅｓがある期間内に一定回数以上出現した際に、友人整理部１３０にその判断結果を出力する。
【００４３】
また、数１から数５のうち、複数の数式について、Ｆｒｉｅｎｄ（Ｓ、Ｏ）＜ｔｈが成立した個数ｎ＿ｃｏｕｎｔがある一定数を超えた際に、友人整理部１３０にその判断結果を出力する。
【００４４】
または、ある閾値ｔｈを用いて、ｓｔａｒｔ（Ｓ）＜ｔｈを満たすときには、つぶやき数不十分として、友人整理を行わない、すなわち友人整理部１３０に判断結果を出力しないようにしてもよい。
【００４５】
友人整理部１３０は、友人整理判断部１２０からの出力に基づいて、友人関係を自動で削除する。あるいは、つぶやき表示頻度の制御を行う（例えば、親密度の大きさに従って、ランダムで非表示にする、等）。
【００４６】
整理結果提示部１４０は、友人整理部１３０の整理結果を取得し、その整理結果をユーザＳに提示する。選択部１５０は、整理結果提示部１４０に提示された結果について、取り消し選択を行う。制御部１６０は、親密度算出部１１０、友人関係判断部１２０、友人整理部１３０、整理結果提示部１４０の動作を制御する。例えば、制御部１６０は、ある一定周期で親密度算出部１１０、友人関係判断部１２０、友人整理部１３０、整理結果提示部１４０の処理を実行するよう制御を行う。このような制御により、最新のつぶやきに基づいて、友人関係を自動的に整理することができる。
【００４７】
＜友人整理装置の処理＞
図３を用いて、本実施形態に係る友人整理装置の処理について説明する。
【００４８】
まず、親密度算出部１１０は、ユーザＳと定量化対象の他のユーザＯとの親密度を算出する（ステップＳ１１０）。友人関係判断部１２０は、算出された親密度に基づいて友人関係をＳＮＳ上、解消するか否かを判断する（ステップＳ１２０）。友人整理部１３０は、友人関係の判断結果に基づいて、実際にＳＮＳ上の友人関係を削除する（ステップＳ１３０）。
【００４９】
なお、親密度算出部１１０は、ユーザＳの最初の話題の投稿への友人Ｏの返信に対する再返信、友人Ｏの最初の話題の投稿へのユーザＳの返信、の二つの返信コミュニケーションを区別して、親密度算出時の反映度合いを変更するようにしてもよい。
【００５０】
また、親密度算出部１１０は、ユーザＳと友人Ｏとの間のコミュニケーションの内容を、ポジティブな内容あるいはネガティブな内容に分類し、その登場頻度に基づいて親密度を算出するようにしてもよい。
【００５１】
さらに、親密度算出部１１０は、ユーザＳと友人Ｏとの間の返信の往復数、または、会話文字数の平均長、または、一日の会話回数をもとに親密度を算出するようにしてもよい。
【００５２】
さらに、親密度算出部１１０は、ユーザＳと複数の友人とのコミュニケーションの傾向を比較して親密度を算出するようにしてもよい。
【００５３】
以上、説明したように、本実施形態によれば、ユーザ間のコミュニケーション履歴から親密度を算出し、算出した親密度に基づいて、友人関係を判断した上で、友人の整理を自動的に行うため、的確に、ソーシャルネットワークサービス（ＳＮＳ）における友人関係（ユーザ間のつながり）を自動で整理することができる。
【００５４】
＜第２の実施形態＞
図４を用いて、本発明の第２の実施形態について説明する。
【００５５】
＜友人整理装置の構成＞
本実施形態に係る友人整理装置は、図４に示すように、親密度算出部１１１と、友人関係判断部１２０と、友人整理部１３０と、整理結果提示部１４０と、選択部１５０と、制御部１６０とから構成されている。なお、第１の実施形態と同一の符号を付す構成要素については、同様の機能を有することから、その詳細な説明は、省略する。
【００５６】
親密度算出部１１１は、ユーザＳと友人との間のコミュニケーションの内容から、ですます等の敬語、あるいは、口語調や略称や通称・俗称等のくだけた表現を抽出し、その登場頻度に基づいて親密度を算出する。
【００５７】
具体的には、ユーザＳと友人Ｏ間のＡ回のコミュニケーション中、尊敬語の出てきた回数Ｂ、くだけた表見の出てきた回数をＣとしたときに、数６により、親密度を算出する。
【００５８】
【数６】
2015069232.tif 000008
【００５９】
なお、親密度算出部１１１は、ユーザＳと友人Ｏとの間のコミュニケーションの内容を、ポジティブな内容あるいはネガティブな内容に分類し、その登場頻度に基づいて親密度を算出するようにしてもよい。
【００６０】
また、親密度算出部１１１は、ユーザＳと友人Ｏとの間の返信の往復数、または、会話文字数の平均長、または、一日の会話回数をもとに親密度を算出するようにしてもよい。
【００６１】
さらに、親密度算出部１１１は、ユーザＳと複数の友人とのコミュニケーションの傾向を比較して親密度を算出するようにしてもよい。
【００６２】
＜第３の実施形態＞
図５を用いて、本発明の第３の実施形態について説明する。
【００６３】
＜友人整理装置の構成＞
本実施形態に係る友人整理装置は、図５に示すように、親密度算出部１１２と、友人関係判断部１２１と、友人整理部１３０と、整理結果提示部１４０と、選択部１５０と、制御部１６０とから構成されている。なお、第１の実施形態と同一の符号を付す構成要素については、同様の機能を有することから、その詳細な説明は、省略する。
【００６４】
親密度算出部１１２は、複数の親密度を算出する。友人関係判断部１２１は、これら親密度の少なくとも一つを判断に利用する。
【００６５】
例えば、友人関係判断部１２１は、過去の友人整理結果および、友人再登録の結果に基づいて、複数の親密度のうち、判断に利用する親密度を決定する。
【００６６】
具体的には、各親密度算出結果をＦｒｉｅｎｄ＿１,Ｆｒｉｅｎｄ＿２,…とし、Ｆｒｉｅｎｄ＿ｉに基づき友達整理を行った回数をＡｉ、その後再登録が行われた回数をＢｉとしたときに、数７において、その数値が大きいものを判断に利用する親密度として決定する。
【００６７】
【数７】
2015069232.tif 000009
【００６８】
＜第４の実施形態＞
図６を用いて、本発明の第４の実施形態について説明する。
【００６９】
＜友人整理装置の構成＞
本実施形態に係る友人整理装置は、図６に示すように、親密度算出部１１０と、友人関係判断部１２２と、友人整理部１３０と、整理結果提示部１４０と、選択部１５０と、制御部１６０とから構成されている。なお、第１の実施形態と同一の符号を付す構成要素については、同様の機能を有することから、その詳細な説明は、省略する。
【００７０】
友人関係判断部１２２は、親密度の変化を蓄積し、急激な親密度の変化傾向に基づいて、友人関係を判断する。
【００７１】
具体的には、前回までの親密度平均をｍ（Ｆｒｉｅｎｄ）、今回の親密度をＦｒｉｅｎｄとしたときに、数８を用いて、急激な親密度の変化傾向を判断する。数８においてｔｈは、閾値を示す。
【００７２】
【数８】
2015069232.tif 000010
【００７３】
また、友人関係判断部１２２は、親密度の低い友人に関して非表示判断を行い、非表示判断されたユーザの発言をＳＮＳ上において非表示にする。これは、例えば、ＳＮＳにおいて友人整理部から非表示判断されたユーザ列を取得し、同ＳＮＳにおいて表示を消す、などの方法が考えられる。
【００７４】
なお、友人整理装置の処理をコンピュータシステムが読み取り可能な記録媒体に記録し、この記録媒体に記録されたプログラムを友人整理装置に読み込ませ、実行することによって本発明の友人整理装置を実現することができる。ここでいうコンピュータシステムとは、ＯＳや周辺装置等のハードウェアを含む。
【００７５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７６】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７７】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７８】
１００；友人整理装置
１１０；親密度算出部
１１１；親密度算出部
１１２；親密度算出部
１２０；友人関係判断部
１２１；友人関係判断部
１２２；友人関係判断部
１３０；友人整理部
１４０；整理結果提示部
１５０；選択部
１６０；制御部
【図１】
2015069232.tif 000011
【図２】
2015069232.tif 000012
【図３】
2015069232.tif 000013
【図４】
2015069232.tif 000014
【図５】
2015069232.tif 000015
【図６】
2015069232.tif 000016